(57)【要約】【課題】画像品質を向上させる液晶表示装置を提供する。【解決手段】基板上の複数のゲートライン及びデータラインと、前記データラインにデータ電圧を印加するデータドライバと、前記データラインにガンマ電圧を生成して供給するガンマ生成部と、を含み、前記データラインは、隣接するデータライン間に異なる極性が印加され、フレームごとに極性が反転され、一つのフレーム間にＮ回の極性反転が起こり、前記極性反転が起こるデータ電圧は高電圧でオーバードライブする。【選択図】図５
2013122594.tif 000002
【特許請求の範囲】
【請求項１】
基板上の複数のゲートライン及びデータラインと、
前記データラインにデータ電圧を印加するデータドライバと、
前記データラインにガンマ電圧を生成して供給するガンマ生成部と
を含み、
前記データラインは、
隣接するデータライン間に他の極性が印加され、フレームごとに極性が反転され、
一つのフレーム間にＮ回の極性反転が起こり、
前記極性反転が起こるゲートラインに対応するデータ電圧は、高電圧でオーバードライブする
ことを特徴とする液晶表示装置。
【請求項２】
前記ガンマ生成部のガンマ電圧は、前記極性反転が起こる際、高電圧に印加される
ことを特徴とする請求項１に記載の液晶表示装置。
【請求項３】
前記ガンマ発生部は、
電源電圧を印加されて複数のガンマ基準電圧を生成するガンマ基準電圧生成部と、
前記ガンマ基準電圧生成部から発生したガンマ基準電圧でガンマ電圧を生成するガンマ電圧生成部と、を含む
ことを特徴とする請求項１に記載の液晶表示装置。
【請求項４】
前記ガンマ基準電圧生成部は、
前記電源電圧を分圧して複数のガンマ基準電圧を生成する抵抗部と、
前記抵抗部と直列に印加され、最上位ガンマ基準電圧を生成するガンマ基準電圧選択部と、を含む
ことを特徴とする請求項３に記載の液晶表示装置。
【請求項５】
前記ガンマ基準電圧選択部は、
前記最上位ガンマ基準電圧のレベルを選択し、
前記複数のガンマ基準電圧の大きさを選択する
ことを特徴とする請求項４に記載の液晶表示装置。
【請求項６】
前記ガンマ基準電圧選択部は、
前記最上位ガンマ基準電圧でロウレベルとハイレベルを選択し、
前記選択された最上位ガンマ基準電圧に応じて前記ガンマ基準電圧のロウレベルとハイレベルを選択する
ことを特徴とする請求項４に記載の液晶表示装置。
【請求項７】
前記ガンマ基準電圧選択部は、前記一つのフレームで極性反転が起こる際、ハイレベルのガンマ基準電圧を印加する
ことを特徴とする請求項６に記載の液晶表示装置。
【請求項８】
前記一つのフレーム間には４回の極性反転が起こる
ことを特徴とする請求項１に記載の液晶表示装置。
【請求項９】
前記一つのフレーム間には８回の極性反転が起こる
ことを特徴とする請求項１に記載の液晶表示装置。
【請求項１０】
前記抵抗部は、直列に連結された複数の抵抗素子で構成される
ことを特徴とする請求項４に記載の液晶表示装置。
【請求項１１】
前記ガンマ基準電圧選択部は、直列に連結された複数の抵抗素子で構成される
ことを特徴とする請求項４に記載の液晶表示装置。
【発明の詳細な説明】
【技術分野】
【０００１】
この発明は、液晶表示装置に関するものである。
【背景技術】
【０００２】
情報を表示することができる多様な表示装置が開発されている。表示装置は、例えば、液晶表示装置（ｌｉｑｕｉｄ  ｃｒｙｓｔａｌ  ｄｉｓｐｌａｙ  ｄｅｖｉｃｅ）、プラズマディスプレイパネル（ｐｌａｓｍａ  ｄｉｓｐｌａｙ  ｐａｎｅｌ  ｄｅｖｉｃｅ）、電気永動表示装置（ｅｌｅｃｔｒｏｐｈｏｅｔｉｃ  ｄｉｓｐｌａｙ  ｄｅｖｉｃｅ）、有機電界発光表示装置（ｏｒｇａｎｉｃ  ｅｌｅｃｔｒｏ−ｌｕｍｉｎｅｓｃｅｎｃｅ  ｄｉｓｐｌａｙ  ｄｅｖｉｃｅ）及び半導体発光表示装置（ｓｅｍｉｃｏｎｄｕｃｔｏｒ  ｌｉｇｈｔ−ｅｍｉｔｔｉｎｇ  ｄｉｓｐｌａｙ  ｄｅｖｉｃｅ）を含む。
【０００３】
この中で、液晶表示装置は、画質が優れ、軽量、薄型、低消費電力などの長所を有するため、代表的な表示装置として脚光を浴びている。一例として、液晶表示装置は、携帯電話、ナビゲーション、ノートブックＰＣ及びテレビに広く採用されている。
【０００４】
前記液晶表示装置は、液晶パネル上の液晶セルの光透過率をデータの階調値に応じて調節し、液晶パネル上に画像を表示する。前記液晶パネルに配列された液晶セルに直流電圧が長時間印加される場合、液晶セルの光透過特性が劣化する。このような直流固着化は、液晶パネル上に表示される画像に残像を示すようにし、画像の質を落とす原因として作用する。
【０００５】
直流固着化を防止する方策として、液晶パネルの液晶セルに供給される画素データ信号が共通電圧を基準に反転するようにするインバージョン方式の液晶表示装置が提案されている。
【０００６】
図１は、従来のコラムインバージョン方式で駆動された液晶表示装置の画像を示す図である。
【０００７】
図１を参照すると、コラムインバージョン方式の液晶表示パネルは隣接するデータライン別に異なる極性を有するように駆動する。
【０００８】
例えば、第１フレームでは奇数番目のデータラインを正極性で駆動し、偶数番目のデータラインを負極性で駆動する。第２フレームでは第１フレームとは逆に、奇数番目のデータラインを負極性で駆動し、偶数番目のデータラインを正極性で駆動して画像の劣化を防ぐ。
【０００９】
前記コラムインバージョン方式において、第１フレームに印加されるデータ電圧のうち第２フレームに隣接した時間に印加される画素領域の場合、第１フレームである正極性でデータ電圧が印加されるが、第２フレームで負極性がデータラインに印加される場合、データ電圧を維持することができない場合が発生する恐れがある。このような場合、画素領域に印加される電圧の変化による漏洩電流が発生し、当該漏洩電流によって画像品質が低下する問題がある。
【発明の概要】
【発明が解決しようとする課題】
【００１０】
この発明は、上記のような点に鑑みてなされたもので、画像品質を向上させる液晶表示装置を提供する。
【課題を解決するための手段】
【００１１】
この発明による液晶表示装置は、基板上の複数のゲートライン及びデータラインと、前記データラインにデータ電圧を印加するデータドライバと、前記データラインにガンマ電圧を生成して供給するガンマ生成部と、を含み、前記データラインは、隣接するデータライン間に異なる極性が印加され、フレームごとに極性が反転され、一つのフレーム間にＮ回の極性反転が起こり、前記極性反転が起こるデータ電圧は高電圧でオーバードライブする。
【発明の効果】
【００１２】
この発明によれば、Ｎ分割駆動方式を介して液晶表示装置の画像を均一に表示する。また、極性が変わる区間で高いガンマ電圧を印加して応答速度を向上させ、ＲＣ遅延を最小化して液晶表示装置の画像品質を向上させる。
【図面の簡単な説明】
【００１３】
【図１】従来のコラムインバージョン方式で駆動された液晶表示装置の画像を示す図である。
【図２】この発明の実施例による液晶表示装置を示すブロック図である。
【図３】この発明の実施例による液晶表示パネルの駆動方式を示す図である。
【図４】この発明の実施例による液晶表示装置の画素領域の電圧変化を示す図である。
【図５】この発明の実施例による液晶表示装置のガンマ発生部、電源部及びデータドライバを示す図である。
【図６】この発明の実施例による液晶表示装置のゲートラインによるデータ信号の変化を示す波形図である。
【発明を実施するための形態】
【００１４】
図２は、この発明の実施例による液晶表示装置を示すブロック図である。
【００１５】
図２を参照すると、実施例による液晶表示装置は、液晶パネル２、タイミングコントローラ１０、ゲートドライバ２０、データドライバ３０、ガンマ発生部５０及び電源部５０含む。
【００１６】
液晶表示パネル３上には、複数のゲートライン（ＧＬ１乃至ＧＬｎ）及び複数のデータライン（ＤＬ１乃至ＤＬｍ）が形成される。複数のゲートライン（ＧＬ１乃至ＧＬｎ）及び複数のデータライン（ＤＬ１乃至ＤＬｍ）の交差によって画素領域が定義される。前記それぞれの画素領域には、薄膜トランジスタ１１が形成される。
【００１７】
薄膜トランジスタ１１は、ゲートライン（ＧＬ１乃至ＧＬｎ）及びデータライン（ＤＬ１乃至ＤＬｍ）と電気的に連結される。薄膜トランジスタ１１は、前記ゲートラインから印加されるゲート信号に応じてオン／オフ制御され、前記データラインによって印加されるデータ電圧を印加されて画素電極に伝達し、液晶分子の変位を制御して画像を表示する。言い換えると、薄膜トランジスタ１１のゲート電極は、ゲート信号が印加されるゲートライン（ＧＬ１乃至ＧＬｎ）と電気的に連結され、ドレイン電極は、データ電圧が伝達されるデータライン（ＤＬ１乃至ＤＬｍ）と電気的に連結され、ソース電極は、液晶分子の変位を制御し得る画素電極と電気的に連結される。
【００１８】
第１ゲートライン（ＧＬ１）及び第１データライン（ＤＬ１）と連結される画素領域を第１画素（ＰＸ１）と定義する。第６５０ゲートライン（ＧＬ６５０）及び第１データライン（ＤＬ１）と連結される画素領域を第６５０画素（ＰＸ６５０）と定義する。第１０００ゲートライン（ＧＬ１０００）及び第１データライン（ＤＬ１）と連結される画素領域を第１０００画素（ＰＸ１０００）と定義する。
【００１９】
タイミングコントローラ１０は、外部のグラフィックカードからデータ信号と共にデータクロック信号（Ｄｃｌｋ）、垂直同期信号（Ｖｓｙｎｃ）及び水平同期信号（Ｈｓｙｎｃ）などを入力される。
【００２０】
タイミングコントローラ１０は、データクロック信号（Ｄｃｌｋ）、垂直同期信号（Ｖｓｙｎｃ）及び水平同期信号（Ｈｓｙｎｃ）に基づいてゲートドライバ２０及びデータドライバ３０を制御するためのタイミング制御信号を生成する。前記タイミング制御信号は、ゲート制御信号及びデータ制御信号を含む。前記ゲート制御信号は、例えば、ゲートスタートパルス（ＧＳＰ：Ｇａｔｅ  Ｓｔａｒｔ  Ｐｕｌｓｅ）、ゲートシフトクロック（ＧＳＣ：Ｇａｔｅ  Ｓｈｉｆｔ  Ｃｌｏｃｋ）、ゲート出力イネーブル（ＧＯＥ：Ｇａｔｅ  Ｏｕｔｐｕｔ  Ｅｎａｂｌｅ）を含んでもよい。ゲートスタートパルス（ＧＳＰ）は、一つのフレームで液晶パネル３の第１ゲートラインの駆動開始時点を制御する信号であり、ゲートシフトクロック（ＧＳＣ）は、液晶パネルの各ゲート駆動開始時点を制御する信号であり、ゲート出力イネーブル（ＧＯＥ）は、各ゲートラインにゲート信号を送る時点を制御する信号である。
【００２１】
前記データ制御信号は、ソーススタートパルス（ＳＳＰ：Ｓｏｕｒｃｅ  Ｓｔａｒｔ  Ｐｕｌｓｅ）、ソースシフトクロック（ＳＳＣ：Ｓｏｕｒｃｅ  Ｓｈｉｆｔ  Ｃｌｏｃｋ）、ソース出力イネーブル（ＳＯＥ：Ｓｏｕｒｃｅ  Ｏｕｔｐｕｔ  Ｅｎａｂｌｅ）、極性信号（ＰＯＬ）などを含む。ソーススタートパルス（ＳＳＰ）は、一つのフレームで第１ライン分のデータ電圧の供給時点を制御する信号であり、ソースシフトクロック（ＳＳＣ）は、各ライン分のデータ電圧の供給時点を制御する信号であり、ソース出力イネーブル（ＳＯＥ）は、前記液晶表示パネルのデータラインにデータ電圧を送る時点を制御する信号であり、極性信号（ＰＯＬ）は、データ電圧又は負極性データ電圧を選択して与える信号である。
【００２２】
タイミングコントローラ１０は、前記グラフィックカードから提供された信号をデータドライバ３０に提供するために再整列する。
【００２３】
タイミングコントローラ１０は、前記ゲート制御信号をゲートドライバ２０に供給し、前記データ制御信号と前記データ信号をデータドライバ３０に提供する。
【００２４】
ゲートドライバ２０は、タイミングコントローラ１０から提供された前記ゲート制御信号に基づいてゲート信号を順次生成し、複数のゲートライン（ＧＬ１乃至ＧＬｎ）に提供する。
【００２５】
データドライバ３０は、タイミングコントローラ１０から提供された前記データ制御信号に対応するデータ電圧を複数のデータライン（ＤＬ１乃至ＤＬｍ）に提供する。
【００２６】
ガンマ発生部４０は、電源部５０から供給された電源電圧でガンマ電圧を生成する。電源部５０は、タイミングコントローラ１０に含まれてもよい。ガンマ発生部４０は、電源電圧で階調に対応する複数のガンマ電圧を生成し、データドライバ３０に伝達する。
【００２７】
電源部５０は、タイミングコントローラ１０、ゲートドライバ２０、データドライバ３０及びガンマ発生部４０の駆動するための駆動電圧を生成して供給する。電源部５０は、ガンマ発生部４０でガンマ電圧を生成するように電源電圧を提供する。
【００２８】
図３は、この発明の実施例による液晶表示パネルの駆動方式を示す図である。
【００２９】
図３を参照すると、この発明の実施例による液晶表示パネルは、Ｎ個のゲートラインを４つの領域に分けてそれぞれの領域をコラムインバージョン方式で駆動する４分割コラムインバージョン方式で駆動する。前記それぞれの区間は、コラムインバージョン方式で駆動されると共に隣接する区間は相異する極性を有するように駆動される。例えば、図示したように３２０個のゲートラインに対応する画素領域を一つの領域と定義して駆動してもよい。
【００３０】
第１の３２０個のゲートラインに対応する領域を第１領域と定義し、第２の３２０個のゲートラインに対応する領域を第２領域と定義し、第３の３２０個のゲートラインに対応する領域を第３領域と定義し、第４の３２０個のゲートラインに対応する領域を第４領域と定義する。
【００３１】
第１フレームにおいて、第１及び第３領域では奇数番目のデータラインが正極性で駆動され、偶数番目のデータラインが負極性で駆動される。第１フレームにおいて、第２及び第４領域では奇数番目のデータラインが負極性で駆動され、偶数番目のデータラインが正極性で駆動される。
【００３２】
第２フレームにおいて、第１及び第３領域では奇数番目のデータラインが負極性で駆動され、偶数番目のデータラインが正極性で駆動される。第２フレームにおいて、第２及び第４領域では奇数番目のデータラインが正極性で駆動され、偶数番目のデータラインが負極性で駆動される。
【００３３】
前記のように液晶表示パネルを駆動することで隣接する領域が相異する極性を有し、それぞれの領域がコラムインバージョン方式で駆動される。
【００３４】
図４は、この発明の実施例による液晶表示装置の画素領域の電圧変化を示す図である。
【００３５】
図４を参照すると、この発明の実施例による液晶表示装置は１つのフレームが４つの領域で駆動される。
【００３６】
例えば、前記液晶表示パネルが１２８０個のゲートラインを含む場合、第１ゲートライン乃至第３２０ゲートラインは第１領域として駆動され、第３２１ゲートライン乃至第６４０ゲートラインは第２領域として駆動され、第６４１ゲートライン乃至第９６０ゲートラインは第３領域として駆動され、第９６１ゲートライン乃至第１２８０ゲートラインは第４領域として駆動される。図４では、第１領域に当たる第１ゲートライン（ＧＬ１）が連結された第１画素領域（ＰＸ１）、第３領域に当たる第６５０ゲートライン（ＧＬ６５０）が連結された第６５０画素領域（ＰＸ６５０）及び第４領域に当たる第１０００ゲートライン（ＧＬ１０００）が連結された第１０００画素領域（ＰＸ１０００）の電圧変化を例に挙げて説明する。
【００３７】
第１フレームにおいて、データ信号は第１及び第３領域に正極性が印加され、第２領域及び第４領域に負極性が印加される。第２フレームにおいて、データ信号は第１及び第３領域に負極性が印加され、第２領域及び第４領域で正極性が印加される。
【００３８】
第１画素領域（ＰＸ１）では正極性である際画素領域が充電され、データ信号が負極性、正極性及び負極性に変化する。第６５０画素領域（ＰＸ６５０）では正極性である際画素領域が充電され、データ信号が負極性、負極性及び正極性に変化する。第１０００画素領域（ＰＸ１０００）では負極性である際画素領域が充電され、データ信号が負極性、正極性及び負極性に変化する。前記データ信号の極性が変化しても、前記極性変更による漏洩電流の合計は第１画素領域（ＰＸ１）、第６５０画素領域（ＰＸ６５０）及び第１０００画素領域（ＰＸ１０００）で全て同じく示される。言い換えると、第１乃至第４領域において、漏洩電流の差が減って画素領域別電圧降下の差が小さくなり、結果的に画像が均一に示されるようになる。
【００３９】
但し、前記４分割コラムインバージョン方式を駆動する際極性が変化する領域の第１画素領域において、ＲＣ遅延によるデータの上昇及び下降が遅延され、望みの品質を示すことができない問題点がある。
【００４０】
図５は、この発明の実施例による液晶表示装置のガンマ発生部、電源部及びデータドライバを示す図である。
【００４１】
図５を参照すると、この発明の実施例による液晶表示装置のガンマ発生部４０は、ガンマ基準電圧生成部４１及びガンマ電圧生成部４３を含む。
【００４２】
ガンマ発生部４０は、電源部５０から印加される電源電圧を利用してガンマ電圧を生成し、外部からタイミング制御部に印加されるデータ信号に対応するガンマ電圧をデータドライバ３０に供給する。ガンマ発生部４０は、データドライバ３０に含まれてもよく、前記タイミングコントローラに含まれてもよい。ガンマ発生部４０の一部構成は前記データドライバ３０に含まれてもよく、前記タイミングコントローラに含まれてもよい。
【００４３】
電源部５０は、外部から電圧を印加されて前記液晶表示装置の構成を駆動するための複数個のレベルを有する電圧を生成し、前記液晶表示装置の複数の構成に印加する。前記ガンマ発生部４０はまた、電源部５０から電源電圧を供給されてガンマ電圧を生成する。
【００４４】
ガンマ基準電圧生成部４１は、電源部５０によって印加される電源電圧を利用して複数のガンマ基準電圧を生成する。前記複数のガンマ基準電圧は、例えば、第１乃至第８ガンマ基準電圧（Ｖｒｅｆ０乃至Ｖｒｅｆ７）であってもよい。ガンマ基準電圧生成部４１は、ガンマ抵抗熱４７及びガンマ抵抗熱４７と直列に連結されるガンマ基準電圧選択部４５を含む。
【００４５】
ガンマ抵抗熱４７は、複数個の抵抗部（Ｒ）が直列に連結された回路であってもよい。抵抗部（Ｒ）には複数個の抵抗素子が連結され、前記抵抗素子それぞれが互いに連結されたノードを含み、前記複数のノードのうちどのノードの電圧をガンマ基準電圧として選択するのかによって複数のガンマ基準電圧が選択され得る。前記ガンマ基準電圧は、ガンマ基準電圧選択部４５で選択される。
【００４６】
ガンマ基準電圧選択部４５は、複数の抵抗素子で構成される。ガンマ基準電圧選択部４５は、最上位ガンマ基準電圧を選択する。ガンマ基準電圧選択部４５は、最上位ガンマ基準電圧をロウレベルでの最上位ガンマ基準電圧（Ｖｒｅｆ＿Ｌ）からハイレベルでの最上位ガンマ基準電圧（Ｖｒｅｆ＿Ｈ）のうち一つを選択することができる。前記最上位ガンマ基準電圧のレベルを選択すると、ガンマ抵抗熱４７で生成される複数のガンマ基準電圧のレベルを選択することができる。例えば、ハイレベルでの最上位ガンマ基準電圧（Ｖｒｅｆ＿Ｈ）を選択した場合、第１乃至第８ガンマ基準電圧（Ｖｒｅｆ０乃至Ｖｒｅｆ７）が相対的にハイレベルで選択され、ロウレベルでの最上位ガンマ基準電圧（Ｖｒｅｆ＿Ｌ）を選択した場合、第１乃至第８ガンマ基準電圧（Ｖｒｅｆ０乃至Ｖｒｅｆ７）が相対的にロウレベルで選択される。
【００４７】
第１乃至第８ガンマ基準電圧（Ｖｒｅｆ０乃至Ｖｒｅｆ７）がハイレベルで選択される場合、複数の抵抗部（Ｒ）でガンマ基準電圧選択部４５と隣接するノードでガンマ基準電圧を生成し、第１乃至第８ガンマ基準電圧（Ｖｒｅｆ０乃至Ｖｒｅｆ７）がロウレベルで選択される場合、複数の抵抗部（Ｒ）でガンマ基準電圧選択部４５と相対的に離隔されたノードでガンマ基準電圧を生成する。
【００４８】
ガンマ電圧発生部４３は、ガンマ基準電圧生成部４１から印加された複数の前記ガンマ基準電圧で前記ガンマ電圧を生成する。ガンマ電圧生成部４３は複数の抵抗素子を含み、ガンマ電圧生成部４３は複数の抵抗素子が直列に連結されて形成される。ガンマ電圧発生部４３は、直列で連結された複数の抵抗素子で複数のガンマ基準電圧を分圧してガンマ電圧を生成する。ガンマ電圧発生部４３は、ガンマ電圧を生成してデータドライバ３０に供給する。
【００４９】
前記４分割コラムインバージョン方式を駆動する際領域が変更されて極性が変わる場合、ガンマ基準電圧選択部４５で最上位ガンマ基準電圧を一般的なレベルより高いハイレベル領域として選択して高いガンマ電圧を生成し、オーバードライブによる応答時間を短縮してＲＣ遅延による画像品質の低下を減らすことができる。前記４分割コラムインバージョン方式を駆動する際領域が変更されない時間では、ガンマ基準電圧選択部４５で最上位ガンマ基準電圧を一般的なレベルとして選択し、オーバードライブなしに正確なガンマ電圧を生成して画像を表示する。
【００５０】
図６は、この発明の実施例による液晶表示装置のゲートラインによるデータ信号の変化を示す波形図である。
【００５１】
図６を参照すると、液晶表示装置の一つのフレームのみを例に挙げて説明する。
【００５２】
第１領域及び第３領域に対応するデータ電圧は正極性のガンマ電圧であり、第２領域及び第４領域に対応するデータ電圧は負極性のガンマ電圧によって印加される。
【００５３】
第１領域から第２領域に変更される第３２１ゲートライン（ＧＬ３２１）では正極性のデータ電圧が負極性のデータ電圧に変更されるため、第３２１ゲートライン（ＧＬ３２１）に対応するデータ電圧を印加する際ガンマ電圧をハイレベルとして選択する。言い換えると、図５のガンマ基準電圧選択部４５で最上位ガンマ基準電圧をハイレベル領域として選択して高いガンマ電圧を生成し、オーバードライブによる応答時間を短縮してＲＣ遅延による画像品質の低下を減らす。
【００５４】
第２領域から第３領域に変更される第６４１ゲートライン（ＧＬ６４１）では負極性のデータ電圧が正極性のデータ電圧に変更されるため、第６４１ゲートライン（ＧＬ６４１）に対応するデータ電圧を印加する際ガンマ電圧をハイレベルとして選択する。また、第３領域から第４領域に変更される第９６１ゲートライン（ＧＬ９６１）では正極性のデータ電圧が負極性のデータ電圧に変更されるため、第９６１ゲートライン（ＧＬ９６１）に対応するデータ電圧を印加する際ガンマ電圧をハイレベルとして選択する。
【００５５】
残りのゲートラインに対応するデータラインでは、オーバードライブのないガンマ電圧を生成するために、ガンマ基準電圧選択部４５で最上位ガンマ基準電圧を一般的なレベルとして選択する。
【００５６】
この実施例では、４分割コラムインバージョン方式を例に挙げて説明したが、分割の数字とは関係なく極性が変更される分割コラムインバージョン方式にも同じく適用され得る。例えば、８分割コラムインバージョン方式の場合でも、極性が変わる領域でオーバードライブを介して画像品質の低下を減らす効果が挙げられる。
【符号の説明】
【００５７】
３：液晶表示パネル              １０：タイミングコントローラ
１１：薄膜トランジスタ          ２０：ゲートドライバ
３０：データドライバ            ４０：ガンマ発生部
４１：ガンマ基準電圧生成部      ４３：ガンマ電圧生成部
４５：ガンマ基準電圧選択部      ４７：ガンマ抵抗熱
５０：電源部
【図１】
2013122594.tif 000003
【図２】
2013122594.tif 000004
【図３】
2013122594.tif 000005
【図４】
2013122594.tif 000006
【図５】
2013122594.tif 000007
【図６】
2013122594.tif 000008